(57)【要約】【課題】  生花、ドライフラワ−、プリザ−ブドフラワ−などのフラワ−デザイン製作、ブ−ケ製作などに使用するフロ−ラルテ−プの専用のホルダ−が存在しておらず、手首に装着して通常のテ−ピング作業が出来るフロ−ラルテ−プのリストホルダ−を提供する。【解決手段】  細長い長方形のプラスチック製の板を手首に合うア−ル１を成形し、そのア−ル１の下にフロ−ラルテ−プをセットするＵ形２を成形し、先端３と末端４に間隔を設け、本体を手首への装着と取り外し、またＵ形２へフロ−ラルテ−プの装着と取り外しの出入り口とし、そしてＵ形２にフロ−ラルテ−プ８をセットし、本体を手首に装着して、フロ−ラルテ−プが手首から吊り下がった状態で通常のテ−ピング作業を行う事を特徴とする。【選択図】図４
0003155000.tif 000002
【実用新案登録請求の範囲】
【請求項１】
細長い長方形のプラスチック製の板を手首に合うア−ル１を成形し、そのア−ル１の下にフロ−ラルテ−プをセットするＵ形２を成形する。そして先端３と末端４との間に間隔を設け、手首への本体の装着と取り外し、Ｕ形２へのフロ−ラルテ−プの装着と取り外しの出入り口とする。その出入り口の先端３を外側に角度５を付け、手首への装着と取り外しがスム−ズに出来るようにし、さらに先端３の頭６と末端４の頭７を丸く加工し手首への安全性を確保する。Ｕ形２にフロ−ラルテ−プをセットした本体を図３、図４のように手首に装着し、フロ−ラルテ−プが手首から吊り下がった状態でテ−ピング作業を行うフロ−ラルテ−プリストホルダ−。
【考案の詳細な説明】
【技術分野】
【０００１】この考案は生花、ドライフラワ−、プリザ−ブドフラワ−などをフロ−ラルテ−プでテ−ピングする作業の時のわずわらしさを解消と作業スピ−ドの向上を計った考案である。
【背景技術】
【０００２】現在、フロ−ラルテ−プの専用のホルダ−は存在してない。
【考案の概要】
【考案が解決しようとする課題】
【０００３】本来、フロ−ラルテ−プは生花、ドライフラワ−、プリザ−ブドフラワ−などのフラワ−デザイン、ブ−ケ製作などで主に使用され、生花、ドライフラワ−、プリザ−ブドフラワ−などをワイヤ−でワイヤ−リング作業を施したそのワイヤ−を目立たなくするために使用されたりする。【０００４】フロ−ラルテ−プの性質は粘着力を引き出すためにテ−プ自体を引っ張り伸ばしながらテ−ピング作業し、テ−プをカットする時は指でちぎり切り離す事をしなければならない。そのため一般の粘着テ−プのような専用のホルダ−が存在してない。【０００５】テ−ピング作業をする場合、専用のホルダ−がないため、フロ−ラルテ−プを作業台に直置きするしかなく、作業中はフロ−ラルテ−プが固定されてないので、あちこちに遊んでしまう状態になる。【０００６】また、テ−ピング作業を行う前に予めフロ−ラルテ−プを目測で剥がし出しておかなければならなく、目測なので剥がし過ぎや短過ぎが生じる。【０００７】また、テ−ピング作業を行う時は、フロ−ラルテ−プを置いた限られた場所での作業となるため、作業範囲はかなり狭い状態になる。以上の事からテ−ピング作業中のわずわらしさが生じ、作業スピ−ドの衰えに繋がってしまい、特に生花の場合は新鮮さを保つために作業時間が重要になる。
本考案は以上のような欠点をなくすためになされたものである。
【課題を解決するための手段】
【０００８】細長い長方形のプラスチック製の板を手首に合うア−ル１を成形し、そのア−ル１の下にフロ−ラルテ−プをセットするＵ形２を成形する。【０００９】先端３と末端４との間に間隔を設け、手首への本体の装着と取り外し、Ｕ形２へのフロ−ラルテ−プの装着と取り外しの出入り口とする。【００１０】出入り口の先端３を外側に角度５を付け、手首への装着と取り外しがスム−ズに出来るようにする。【００１１】先端３の頭６と末端４の頭７を丸く加工し、手首への安全性を確保する。【００１２】Ｕ形２にフロ−ラルテ−プをセットし、本体を図３、図４のように手首に装着する。
以上の構成によりなるフロ−ラルテ−プリストホルダ−である。
【考案の効果】
【００１３】図３のように本体を手首に装着した時に本体が手首に触れる部分をア−ル１に成形した事と、ア−ル１の下にフロ−ラルテ−プをセットするＵ形２を成形した事で、フロ−ラルテ−プ自体の重さでフロ−ラルテ−プが手首から吊り下がった状態になり、常に安定した位置にある。【００１４】図３のように本体を手首に装着する事で腕を動かせばフロ−ラルテ−プを視界に入れる事ができ、常にフロ−ラルテ−プの先端の確認が可能になる。また、一度フロ−ラルテ−プの先端を掴んでいた指から離しても指とフロ−ラルテ−プの間隔が狭いので、確実にフロ−ラルテ−プの先端を掴む事が出来る。【００１５】図３のように本体を手首に装着する事でフロ−ラルテ−プの先端を掴んでいる指と手首に吊り下がっているフロ−ラルテ−プ本体の間隔分がフロ−ラルテ−プ本体から常に回り剥がれている状態であり、またテ−ピングする分量だけ回り剥がれるので剥がれ過ぎがない。【００１６】従来、テ−ピング作業を行う時はフロ−ラルテ−プを作業台に直置きして、フロ−ラルテ−プが置いてある場所での作業であり作業範囲はかなり狭い状態であったが、図３のように本体を手首に装着しての作業により、場所を選ばずどこででもテ−ピング作業が可能になり作業範囲は広がった。【００１７】本体は軽いプラスチック製なので手首への負担はほとんどない。
したがって、今までのような欠点が解消され作業スピ−ドは向上された。
【考案を実施するための形態】
【００１８】以下、本考案の実施の形態について説明する。
細長い長方形のプラスチック製の板を手首に合うア−ル１を成形し、そのア−ル１の下にフロ−ラルテ−プをセットするＵ形２を成形し、先端３と末端４との間に間隔を設け、手首への本体の装着と取り外し、Ｕ形２へのフロ−ラルテ−プの装着と取り外しの出入り口とする。出入り口の先端３を外側に角度５を付け、手首への装着と取り外しがスム−ズに出来るようにし、また、先端３の頭６と末端４の頭７を丸く加工し、手首への安全性を確保する。
【００１９】以上の構成で使用するときは、まずフロ−ラルテ−プを本体の出入り口からＵ形２にセットし、その本体を図３、図４のように手首に装着してフロ−ラルテ−プが手首から吊り下がった状態にする。そして、手首に本体を装着した方の親指と人差し指でフロ−ラルテ−プの先端を掴み、通常のテ−ピングのやり方で作業を行う。
【図面の簡単な説明】
【００２０】
【図１】  正面図である。
【図２】  斜視図である。
【図３】  本考案の実施を示す斜視図である。
【図４】  本考案の実施を示す図３の反対側から見た斜視図である。
【符号の説明】
【００２１】      １  ア−ル
２  Ｕ形
３  先端
４  末端
５  角度
６、７  頭
８  フロ−ラルテ−プ
【図１】
0003155000.tif 000003
【図２】
0003155000.tif 000004
【図３】
0003155000.tif 000005
【図４】
0003155000.tif 000006
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
細長い長方形のプラスチック製の板を手首に合うアール１を成形し、そのアール１の下にフローラルテープをセットするＵ形２を成形し、そして先端３と末端４との間に間隔を設け、手首への本体の装着と取り外し、Ｕ形２へのフローラルテープの装着と取り外しの出入り口とし、その出入り口の先端３を外側に角度５を付け、手首への装着と取り外しがスムーズに出来るようにし、さらに先端３の頭６と末端４の頭７を丸く加工し手首への安全性を確保し、Ｕ形２にフローラルテープをセットした本体を手首に装着した時、フローラルテープが手首から吊り下がった状態になる事を特徴とするフローラルテープリストホルダー。